(57)【要約】【課題】根管長測定用模型において、測定電極の対極を容易に取り付けることができるとともに、製造コストを低減できるシンプルな構成を提供すること。【解決手段】根管長測定用模型８０１は、柱状に形成される歯体部１０及び歯体部１０に形成される模擬歯髄腔３０を有する。歯体部１０は、少なくともその一の側面１１に凹部２０が形成される。模擬歯髄腔３０は、一側の開口端である歯冠部歯髄腔部３１が歯体部１０の端面１２に形成されるとともに、歯冠部歯髄腔部３１に連通する他側の開口端６０が凹部２０に形成される。凹部２０は、その開口された部分の側面１１側の少なくとも一部がシール部材８５０に覆われることにより、生理食塩水９０が貯留される空間を形成する。【選択図】図１３
2017003988.tif 000002
【特許請求の範囲】
【請求項１】
柱状に形成される歯体部及び前記歯体部に形成される模擬歯髄腔を有する根管長測定用模型であって、
前記歯体部は、少なくともその一の側面に凹部が形成され、
前記模擬歯髄腔は、一側の開口端が前記歯体部の端面に形成されるとともに、前記一側の開口端に連通する他側の開口端が前記凹部に形成され、
前記凹部は、その開口された部分の側面側の少なくとも一部が蓋部材に覆われることにより、導電性液体が貯留される空間を形成する根管長測定用模型。
【請求項２】
前記凹部は、前記歯体部における一側の端面側にも開口する切欠き状である請求項１に記載の根管長測定用模型。
【請求項３】
前記凹部を形成する壁面には突出部が設けられ、
前記模擬歯髄腔の前記他側の開口端が、前記突出部に形成される請求項１又は２に記載の根管長測定用模型。
【請求項４】
前記歯体部には、前記端面に形成される開口部を前記歯体部の内側で前記凹部に連通する連通孔が形成され、
前記凹部は、その開口された部分が前記蓋部材に覆われることにより、導電性液体が貯留される空間を形成する請求項１に記載の根管長測定用模型。
【請求項５】
前記一側の開口端が形成される前記歯体部の端面に、歯冠に相当する歯冠部が形成される請求項１から４までの何れかに記載の根管長測定用模型。
【請求項６】
前記蓋部材は、前記歯体部に予め設けられる請求項１から５までの何れかに記載の根管長測定用模型。
【請求項７】
前記蓋部材は、導電性を有する請求項１から６までの何れかに記載の根管長測定用模型。
【発明の詳細な説明】
【技術分野】
【０００１】
本発明は、歯科医療の実習等に用いられる根管長測定用模型に関する。
【背景技術】
【０００２】
従来から、歯科実習等において、根管が形成された模型を用いて根管長測定器による根管長測定の実習が行われている。この種の根管長測定用模型を開示するものとして、例えば特許文献１がある。特許文献１には、円柱型の歯髄模型の歯髄腔に、生理食塩水又は人体と同程度の電気的導通特性を有する物質を模擬歯髄として封入した状態で、根管長測定器を用いた実習を実現する模型が開示されている。
【先行技術文献】
【特許文献】
【０００３】
【特許文献１】特開２０１４−２３９８４６号公報
【発明の概要】
【発明が解決しようとする課題】
【０００４】
根管長測定器の実習では、模型の根管等に導電性ペーストや生理食塩水等の導電性物質を充填して人体の状態を再現するとともに、模型が有する電極に測定電極の対極である口腔電極を取り付ける必要があった。根管長測定の実習という観点からは、口腔電極を模型の電極に取り付ける作業は、簡易な作業であることが好ましい。この点、特許文献１に開示される構成では、模型の電極にリード線を接続する作業が必要であった。また、根管の形状は、歯の種類や個人によってその形状が異なるため、根管の形状ごとに模型を製造する場合、その模型ごとに口腔電極を取り付けるための電極部を用意する必要がある。このように、従来の根管長測定用模型には、実習作業における口腔電極を模型に取り付ける作業の容易化や製造コストの低減という観点から改善の余地があった。
【０００５】
本発明は、根管長測定用模型において、測定電極の対極を容易に取り付けることができるとともに、製造コストを低減できるシンプルな構成を提供することを目的とする。
【課題を解決するための手段】
【０００６】
本発明は、柱状に形成される歯体部及び前記歯体部に形成される模擬歯髄腔を有する根管長測定用模型であって、前記歯体部は、少なくともその一の側面に凹部が形成され、前記模擬歯髄腔は、一側の開口端が前記歯体部の端面に形成されるとともに、前記一側の開口端に連通する他側の開口端が前記凹部に形成され、前記凹部は、その開口された部分の側面側の少なくとも一部が蓋部材に覆われることにより、導電性液体が貯留される空間を形成する根管長測定用模型に関する。
【０００７】
前記凹部は、前記歯体部における一側の端面側にも開口する切欠き状であることが好ましい。
【０００８】
前記凹部を形成する壁面には突出部が設けられ、前記模擬歯髄腔の前記他側の開口端が、前記突出部に形成されることが好ましい。
【０００９】
前記歯体部には、前記端面に形成される開口部を前記歯体部の内側で前記凹部に連通する連通孔が形成され、前記凹部は、その開口された部分が前記蓋部材に覆われることにより、導電性液体が貯留される空間を形成することが好ましい。
【００１０】
前記蓋部材は、前記歯体部に予め設けられることが好ましい。
【００１１】
前記一側の開口端が形成される前記歯体部の端面に、歯冠に相当する歯冠部が形成されることが好ましい。
【００１２】
前記蓋部材は、導電性を有することが好ましい。
【発明の効果】
【００１３】
本発明によれば、根管長測定用模型において、測定電極の対極を容易に取り付けることができるとともに、製造コストを低減できるシンプルな構成を提供できる。
【図面の簡単な説明】
【００１４】
【図１】本発明の第１実施形態の根管長測定用模型を示す斜視図である。
【図２】第１実施形態の根管長測定用模型の縦断面を示す断面斜視図である。
【図３】シール部材が取り付けられた根管長測定用模型を示す斜視図である。
【図４】第１実施形態の根管長測定用模型を用いて実習を行う様子を模式的に示す断面図である。
【図５】第２実施形態の根管長測定用模型を示す斜視図である。
【図６】第３実施形態の根管長測定用模型の断面図である。
【図７】第４実施形態の根管長測定用模型の断面図である。
【図８】第５実施形態の根管長測定用模型の断面図である。
【図９】第６実施形態の根管長測定用模型の正面図である。
【図１０】第６実施形態の根管長測定用模型の斜視図である。
【図１１】第７実施形態の根管長測定用模型の正面図である。
【図１２】第７実施形態の根管長測定用模型の斜視図である。
【図１３】第８実施形態の根管長測定用模型を用いて実習を行う様子を模式的に示す断面図である。
【図１４】第９実施形態の根管長測定用模型を示す斜視図である。
【発明を実施するための形態】
【００１５】
以下、本発明の根管長測定用模型の好ましい各実施形態について、図面を参照しながら説明する。各実施形態で説明する根管長測定用模型は、歯科医療技術の研究や、歯科学生又は研修医による実習に用いられる歯髄腔模型である。
【００１６】
＜第１実施形態＞
図１は、本発明の第１実施形態に係る根管長測定用模型１を示す斜視図である。図２は、第１実施形態の根管長測定用模型の縦断面を示す断面斜視図である。図３は、シール部材５０が取り付けられた根管長測定用模型１を示す斜視図である。図４は、第１実施形態の根管長測定用模型１を用いて実習を行う様子を模式的に示す断面図である。
【００１７】
図１に示すように、根管長測定用模型１は、柱状に形成される歯体部１０と、この歯体部１０の側面に形成される凹部２０と、歯体部１０の内部に形成される模擬歯髄腔３０と、を主要な構成として備える。
【００１８】
歯体部１０は、歯冠の一部及び歯根部に対応する部分を構成する。歯体部１０は、アクリル樹脂やエポキシ樹脂等の透明部材により形成される。本実施形態では、歯体部１０の形状は、面取りされた縦長の直方体状である。
【００１９】
凹部２０は、歯体部１０の側面１１に設けられる。図２に示すように、凹部２０は、一側の端面１２から他側の端面に向かって延びる切欠き状に形成される。凹部２０は、細長の溝状になっており、後述の導電性液体としての生理食塩水９０が貯留される部位となる。
【００２０】
凹部２０を形成する壁面には突出部２１が形成される。本実施形態の突出部２１は、側面１１が向く方向に突出している。凹部２０における突出部２１の位置は、凹部２０の終端面２２から離間するように設定されている。
【００２１】
図４に示すように、突出部２１は、その断面形状が凹部２０の壁面から先端側に向かうにつれて狭まる略台形状に形成される。突出部２１における凹部２０の壁面から先端までの距離ａは、凹部２０の深さｂよりも短くなっている。従って、突出部２１の先端面は、歯体部１０の側面１１よりも奥まったところに位置する。
【００２２】
次に、模擬歯髄腔３０について説明する。模擬歯髄腔３０は、歯冠部から歯根部に延びて形成される歯髄腔に対応する部分を構成する。
【００２３】
第１実施形態の模擬歯髄腔３０は、歯冠部に対応する位置に形成される歯冠部歯髄腔部３１と、この歯冠部歯髄腔部３１から歯根部に対応する部分に向かって延びる歯根腔部３２と、を備える。
【００２４】
歯冠部歯髄腔部３１は、模擬歯髄腔３０の一側の開口端をなすものであり、歯体部１０の一側の端面１２に形成される。本実施形態の歯冠部歯髄腔部３１は、歯体部１０の外側から内側に進むにつれて径が狭まる略円錐状に形成される。この歯冠部歯髄腔部３１の円錐形状の頂点にあたる部分が歯根腔部３２に連通接続される。
【００２５】
歯根腔部３２は、一側の端部が歯冠部歯髄腔部３１に接続されるとともに、他側の端部が凹部２０に接続される。本実施形態では、歯根腔部３２は、歯冠部歯髄腔部３１から下方に延びた後、歯体部１０の側面１１側に３０度程度向きを変えて湾曲しながら凹部２０まで達している。
【００２６】
歯根腔部３２の端部は、模擬歯髄腔３０の他側の開口端６０をなすものである。本実施形態では、凹部２０の突出部２１の先端面まで達している。歯根腔部３２によって歯冠部歯髄腔部３１（一側の開口端）と凹部２０によって形成される空間が連通している。
【００２７】
蓋部材として歯体部１０に取り付けられるシール部材５０について説明する。図３に示すように、シール部材５０は、歯体部１０の側面１１に、凹部２０の略全域を覆うように取り付けられる。
【００２８】
上述の通り、図４に示すように、突出部２１の先端までの距離ａは凹部２０の深さｂよりも短いので、シール部材５０を取り付ける作業において、突出部２１がシール部材５０に接触することなく、凹部２０の側面１１側の開口を覆うことができる。シール部材５０としては、セロハンテープ、フィルム、樹脂により形成された板状部材等、凹部２０の側面１１側を塞ぐことができるものであればよく、適宜のものを用いることができる。また、シール部材５０は、凹部２０の側面１１側の全領域を必ずしも覆う必要はなく、その貼り付け位置は適宜変更できる。
【００２９】
凹部２０にシール部材５０が貼り付けられることにより、凹部２０に生理食塩水９０を貯留可能な空間が形成される。なお、凹部２０の開口している部分のうち、歯体部１０の端面１２側（上方）については開口されたままの状態である。
【００３０】
次に、根管長測定用模型１を用いた根管長の測定実習について説明する。上述の通り、シール部材５０が取り付けられた根管長測定用模型１に導電性液体としての生理食塩水９０を充填する。歯体部１０における凹部２０とシール部材５０によって囲まれた空間に生理食塩水９０が充填され、当該凹部２０に連通する模擬歯髄腔３０にも生理食塩水９０が充填された状態となる。
【００３１】
生理食塩水を充填する作業時に、凹部２０の底部（終端面２２近傍）で生じた気泡が、凹部２０に連通する開口端６０から模擬歯髄腔３０側に入り込む可能性がある。この点、本実施形態の構成によれば、開口端６０が突出部２１に形成されており、当該突出部２１は凹部２０の底部から離れた位置にあるので、凹部２０の底部で生じた気泡が歯根腔部３２の開口端６０から歯根腔部３２側に入り難くなっており、気泡を原因とする測定不良が効果的に防止されている。
【００３２】
生理食塩水９０が凹部２０に充填された状態で、根管長測定用模型１に根管長測定器（図示省略）における口腔電極５１を取り付ける作業を行う。口腔電極５１は、測定電極５２の対極であり、フック状に形成される。本実施形態では、凹部２０の上方の開口部分から口腔電極５１の先端側を差し入れる（図４参照）。口腔電極５１の先端を凹部２０に貯留された生理食塩水９０に浸漬させた状態で引っ掛けることで、根管長測定用模型１に口腔電極５１を取り付ける作業が完了する。なお、口腔電極としてはフック状に限定されるわけではなく、棒状のもの等、他の形状のものを利用することができる。また、クリップ等の金属で構成されるものを介して導通させてもよい。
【００３３】
口腔電極５１が根管長測定用模型１にセットされた状態で、根管長測定の実習を行う。実習者は、棒状の測定電極５２を模擬歯髄腔３０の一側の開口端である歯冠部歯髄腔部３１から差し込み、歯根腔部３２の根管長測定を行う。
【００３４】
以上説明した第１実施形態の根管長測定用模型１によれば、以下のような効果を奏する。第１実施形態の根管長測定用模型１は、柱状に形成される歯体部１０及び歯体部１０に形成される模擬歯髄腔３０を有する。歯体部１０は、少なくともその一の側面１１に凹部２０が形成される。模擬歯髄腔３０は、一側の開口端である歯冠部歯髄腔部３１が歯体部１０の端面１２に形成されるとともに、歯冠部歯髄腔部３１に連通する他側の開口端６０が凹部２０に形成される。凹部２０は、その開口された部分の側面１１側の少なくとも一部がシール部材５０に覆われることにより、生理食塩水９０が貯留される空間を形成する。
【００３５】
これにより、生理食塩水９０が貯留される部分に口腔電極５１を差し込むだけで、測定電極５２を用いた根管長測定を開始できる状態になる。根管長測定用模型１に口腔電極５１を取り付けるための工具を用いた接続作業や固定作業を行う必要がなくなるので、実習を開始するための準備を簡単かつ迅速に行うことができる。また、根管長測定用模型１に口腔電極５１を取り付けるための端子等を別途用意する必要がないので、根管長測定用模型１に必要な製造コストを効果的に低減できる。更に、第１実施形態の構成によれば、導電性ペースト等に比較して入手しやすい生理食塩水９０を導電性液体として利用できるので、実習作業に必要な材料を容易に集めることができる。
【００３６】
凹部２０は、歯体部１０における一側の端面１２側にも開口する切欠き状である。これにより、凹部２０における端面１２側の開口部分から差し込むだけで口腔電極５１を生理食塩水９０に浸漬させることができる。
【００３７】
凹部２０を形成する壁面には突出部２１が設けられ、模擬歯髄腔３０の凹部２０側（他側）の開口端６０が、突出部２１に形成される。これにより、根管長の長さを十分に確保しつつ、歯体部１０の側面１１に貯留する生理食塩水９０の貯留量を十分に確保できる凹部２０の深さｂを実現できる。
【００３８】
第１実施形態では、蓋部材としてのシール部材５０は、実習者や準備を行うものによって取り付ける例を説明したが、シール部材５０が歯体部１０に予め取り付けられる構成とすることもできる。
【００３９】
これにより、実習者がシール部材５０を取り付ける手間を省略でき、実習の準備作業をより迅速かつ簡単にできる。また、予めシール部材５０が適切に取り付けられることにより、シール部材５０の取付位置が安定し、生理食塩水９０を貯留できる空間の体積も一定となる。従って、生理食塩水９０の貯留量も安定させることができる。なお、場合によっては、蓋部材に開閉機能を持たせることも可能である。
【００４０】
＜第２実施形態＞
次に、第２実施形態の根管長測定用模型２０１について説明する。なお、以下の実施形態の説明において第１実施形態と同様の構成については同じ符号を付してその説明を省略することがある。
【００４１】
図５は、第２実施形態の根管長測定用模型２０１を示す斜視図である。第２実施形態の根管長測定用模型２０１は、歯冠部２１０を備える点が第１実施形態の根管長測定用模型１と異なっている。
【００４２】
図５に示すように、歯冠部２１０には、歯冠の内部構造を再現する空洞部２１１が形成される。この空洞部２１１は、模擬歯髄腔３０の歯冠部歯髄腔部３１に連通している。
【００４３】
第２実施形態の根管長測定用模型２０１を用いた根管長測定の実習では、歯冠部２１０の切削作業等を行った後、根管長の測定実習が行われる。実習者は、歯冠部２１０を切削して測定電極５２を挿通可能な孔を形成した後、第１実施形態と同様の手順で根管長測定の実習を行うのである。なお、歯冠部２１０は、予め歯体部１０に固定しておいてもよいし、第１実施形態の根管長測定用模型１に後から固定するように構成することもできる。
【００４４】
以上説明した第２実施形態の根管長測定用模型２０１によれば、以下のような効果を奏する。第２実施形態の根管長測定用模型２０１は、歯冠部歯髄腔部３１が形成される歯体部１０の端面１２に、歯冠に相当する歯冠部２１０が形成される。これにより、口腔電極５１の取付作業が容易な根管長測定用模型２０１を用いて歯根の切削作業から根管長測定器を用いた根管長の測定までの一連の実習を行うことができ、実習効率を向上させることができる。
【００４５】
次に、第１実施形態の根管長測定用模型１及び第２実施形態の根管長測定用模型２０１に形成される凹部２０とは異なる構成の凹部が形成される他の実施形態について説明する。
【００４６】
＜第３実施形態＞
図６は、第３実施形態の根管長測定用模型３０１の断面図である。図６に示すように、第３実施形態の根管長測定用模型３０１に形成される凹部３２０には、その底部に突出部３２１が形成されている。即ち、突出部３２１と凹部３２０の終端面３２２は、隙間なく一体的に形成されている。開口端６０は、突出部３２１の先端面に形成される。この構成においても、突出部３２１の先端面までの距離だけ、歯冠部歯髄腔部３１の根管長を伸ばすことができる。第３実施形態においても、凹部３２０の側面１１側の開口部分をシール部材５０で覆うことにより、生理食塩水９０を貯留可能な空間が形成される。
【００４７】
＜第４実施形態＞
図７は、第４実施形態の根管長測定用模型４０１の断面図である。図７に示すように、第４実施形態の根管長測定用模型４０１に形成される凹部４２０には、第１実施形態の突出部２１に相当する部分が省略されており、その壁面が終端面４２２まで平坦な面となっている。歯根腔部３２の開口端６０は、凹部４２０を形成するこの平坦な壁面に形成される。第４実施形態においても、凹部４２０の側面１１側の開口部分をシール部材５０で覆うことにより、生理食塩水９０を貯留可能な空間が形成される。
【００４８】
＜第５実施形態＞
図８は、第５実施形態の根管長測定用模型５０１の断面図である。図８に示すように、第５実施形態の根管長測定用模型５０１に形成される凹部５２０は、歯体部１０の端面に達していない点が、上記実施形態と異なる。この構成においても、凹部５２０に形成される突出部５２１の先端面に歯根腔部３２の開口端６０が形成されており、歯冠部歯髄腔部３１と凹部５２０が連通している。また、突出部５２１は、凹部５２０における下方の端面５２２及び上方の端面５２３のそれぞれから離間した位置に設定される。
【００４９】
第５実施形態においても、シール部材５０を凹部５２０に取り付けて生理食塩水９０が貯留される空間を形成する。凹部５２０は、その開口部分がシール部材５０によって完全に覆われた状態となる。第５実施形態では、口腔電極５１の先端でシール部材５０を突き破り、生理食塩水９０に接触する状態にした上で、根管長測定の実習を行う。
【００５０】
以上説明した第３実施形態から第５実施形態では、第１実施形態と同様に、歯冠部のないものを例として説明したが、第３実施形態から第５実施形態においても第２実施形態と同様の歯冠部を備える構成とすることができる。
【００５１】
また、歯根の数が１つの歯髄腔模型を例に説明したが、複数の歯根を有する歯の模型についても本発明を適用することができる。次に、歯根の数が異なる他の実施形態について説明する。
【００５２】
＜第６実施形態＞
図９は、第６実施形態の根管長測定用模型６０１の正面図である。図１０は、第６実施形態の根管長測定用模型６０１の斜視図である。図９及び図１０に示すように、根管長測定用模型６０１の模擬歯髄腔６３０は、歯冠部歯髄腔部６３１と、この歯冠部歯髄腔部６３１から二つに分かれる歯根腔部６３２及び歯根腔部６３３と、を有する。歯根腔部６３２及び歯根腔部６３３は、それぞれ湾曲しながら下方に延びている。
【００５３】
根管長測定用模型６０１の歯体部６１０の側面６１１に形成される凹部６２０について説明する。凹部６２０は、歯体部６１０の一側の端面６１２から細長の溝状に形成される第１凹部６２１と、第１凹部６２１の終端部に接続される第２凹部６２２と、を有する。第２凹部６２２は、第１凹部６２１に比べ、その幅及び深さが大きく形成されている。
【００５４】
２つの歯根腔部６３２及び歯根腔部６３３は、それぞれ湾曲しながら凹部６２０まで達している。第６実施形態では、第２凹部６２２の内側の上面に、歯根腔部６３２の開口端６６２及び歯根腔部６３３の開口端６６３がそれぞれ形成される。これにより、模擬歯髄腔６３０は、一側の開口端である歯冠部歯髄腔部６３１が、２つに分かれる歯根腔部６３２及び歯根腔部６３３のそれぞれを通じて凹部６２０に連通している状態になる。
【００５５】
図１０に示すように、凹部６２０は、その側面６１１側がシール部材５０で覆われることにより、生理食塩水９０を貯留する空間を形成する。根管長測定の手順については第１実施形態と同様である。
【００５６】
なお、図９の鎖線に示すように、第２実施形態と同様に、内部に空洞６５１が形成された歯冠部６５０を歯体部６１０の上面に形成することもできる。これにより、第６実施形態においても、根管長測定と併せて切削処理の実習を行うことが可能になる。
【００５７】
＜第７実施形態＞
次に、第７実施形態の根管長測定用模型７０１について説明する。図１１は、第７実施形態の根管長測定用模型７０１の正面図である。図１２は、第７実施形態の根管長測定用模型７０１の斜視図である。図１１及び図１２に示すように、根管長測定用模型７０１の模擬歯髄腔７３０は、歯冠部歯髄腔部７３１と、この歯冠部歯髄腔部７３１から３つに分かれる歯根腔部７３２、歯根腔部７３３及び歯根腔部７３４と、を有する。歯根腔部７３２、歯根腔部７３３及び歯根腔部７３４は、それぞれ湾曲しながら下方に延びている。
【００５８】
根管長測定用模型７０１の歯体部７１０の側面７１１には、第６実施形態の凹部６２０と同様の構成の凹部７２０が形成される。即ち、凹部７２０は、歯体部７１０の一側の端面７１２から溝状に形成される第１凹部７２１と、第１凹部７２１の端部に接続される第２凹部７２２と、を有する。第２凹部７２２は、第１凹部７２１に比べ、その幅及び深さが大きく形成されている。
【００５９】
歯根腔部７３２、歯根腔部７３３及び歯根腔部７３４は、それぞれ湾曲しながら凹部７２０まで達している。第７実施形態では、第２凹部７２２の内側の上面に、歯根腔部７３２の開口端７６２、歯根腔部７３３の開口端７６３及び歯根腔部７３４の開口端７６４がそれぞれ形成される。これにより、模擬歯髄腔７３０は、一側の開口端である歯冠部歯髄腔部７３１が、３つに分かれる歯根腔部７３２、歯根腔部７３３及び歯根腔部７３４のそれぞれを通じて凹部７２０に連通している状態になる。
【００６０】
図１２に示すように、凹部７２０の側面７１１側をシール部材５０で覆うことにより、生理食塩水９０を貯留する空間を形成する。根管長測定の手順については第１実施形態と同様である。
【００６１】
なお、図１１の鎖線に示すように、第２実施形態と同様に、内部に空洞７５１が形成された歯冠部７５０を歯体部７１０の上面に形成することもできる。これにより、第７実施形態においても、根管長測定と併せて切削処理の実習を行うことが可能になる。
【００６２】
以上、第６実施形態及び第７実施形態で説明したように、側面側に大きく曲がらないタイプの歯根を模型にした場合においても、本発明を適用することができる。
【００６３】
＜第８実施形態＞
次に、第８実施形態の根管長測定用模型８０１について説明する。図１３は、第８実施形態の根管長測定用模型８０１を用いて実習を行う様子を模式的に示す断面図である。第８実施形態の根管長測定用模型８０１は、その本体部分については第１実施形態の根管長測定用模型１と同様の構成であり、蓋部材の構成が第１実施形態と異なっている。
【００６４】
第８実施形態の根管長測定用模型８０１に用いられるシール部材８５０は、導電性を有する材料、例えば金属によって薄板状に構成される。図１３に示すように、シール部材８５０は、凹部２０を覆う本体部８５１と、端面１２よりも上方に延出する電極取付部８５２と、を備える。
【００６５】
第８実施形態で用いられる口腔電極８６０は、軸部８６１と、軸部８６１の先端に配置されるフック状の電極部８６２と、を備える。電極部８６２は、軸部８６１に対して軸方向にスライド可能に構成され、電極取付部８５２を把持する把持位置と把持を開放する開放位置の間でその位置を変更できる。
【００６６】
口腔電極８６０の電極部８６２が電極取付部８５２に取り付けられることで、電極部８６２を生理食塩水９０に浸漬させることなく、本体部８５１を通じて生理食塩水９０に導通させることができる。
【００６７】
以上説明したように、第８実施形態の根管長測定用模型８０１は、蓋部材としてのシール部材８５０が導電性を有する材料により構成される。これにより、電極部８６２の形状が大きいために、生理食塩水９０が貯留される凹部２０に電極部８６２を差し入れることが難しい場合でも、シール部材８５０に電極部８６２を接触させて導通をとることができる。従って、クリップ等の導通部材を使用する必要もなく、作業を開始するための準備をスムーズに完了することができる。
【００６８】
また、本実施形態のように、電極取付部８５２を歯体部１０の端面１２から離れる方向（上方）に延出させることで、電極部８６２を取り付けるためのスペースを凹部２０の外側に確保でき、種々の形状の電極部を有する口腔電極に対応することできる。なお、第８実施形態の構成を更に変形し、電極取付部８５２を省略して本体部８５１に相当する部分に電極部を接触固定する構成とすることもできる。また、導電性を有する部分が蓋部材の全部ではなく一部である構成に変更することもできる。このように、導電性を有する材料で構成されるシール部材８５０の構成についても、事情に応じて適宜変更することができる。
【００６９】
＜第９実施形態＞
次に、第９実施形態の根管長測定用模型９０１について説明する。図１４は、第９実施形態の根管長測定用模型を示す斜視図である。
【００７０】
図１４に示すように、歯体部９１０の端面９１２には、第１実施形態と同様の形状の模擬歯髄腔３０の一側の開口端である歯冠部歯髄腔部３１が形成される。歯体部９１０の側面９１１には凹部９２２が形成される。凹部９２２には、模擬歯髄腔３０の他側の開口端９６０が形成される。なお、この凹部９２２は、第１実施形態と異なり、上側の端面９１２には達していない。
【００７１】
歯冠部歯髄腔部３１が形成される端面９１２には、連通孔９２０の一側の端部である開口部９２１が形成される。連通孔９２０は、開口部９２１から下方に直線状に延びた後、その他側の端部が凹部９２２に接続される。本実施形態の連通孔９２０は、歯体部９１０の内側で凹部９２２に上下方向で接続される。
【００７２】
側面９１１に形成される凹部９２２をシール部材９５０で覆うことによって、歯体部９１０に生理食塩水９０を貯留するための空間が形成される。シール部材９５０は、上記実施形態のシール部材５０と同様の構成である。連通孔９２０の開口部９２１から口腔電極（口腔電極５１や口腔電極８６０等）を差し込む。
【００７３】
以上説明した第９実施形態の根管長測定用模型９０１によれば、以下のような効果を奏する。第９実施形態の根管長測定用模型９０１の歯体部９１０には、端面９１２に形成される開口部９２１を歯体部９１０の内側で凹部９２２に連通する連通孔９２０が形成され、凹部９２２は、その開口された部分がシール部材９５０に覆われることにより、導電性液体が貯留される空間を形成する。
【００７４】
これにより、シール部材９５０を貼り付けるだけで生理食塩水９０を貯留する空間を形成することができ、根管長測定を開始できる状態にスムーズに移行できる。また、歯体部９１０の側面９１１を利用して口腔電極を引っ掛けて固定することもでき、根管長測定用模型１に口腔電極を取り付けるための工具を用いた接続作業や固定作業を行う必要がなくなるので、実習を開始するための準備を簡単かつ迅速に行うことができる。また、根管長測定用模型１に口腔電極を取り付けるための端子等を別途用意する必要がないので、根管長測定用模型１に必要な製造コストを効果的に低減できる。更に、導電性ペースト等に比較して入手しやすい生理食塩水９０を導電性液体として利用できるので、実習作業に必要な材料を容易に集めることができる。
【００７５】
なお、第９実施形態の根管長測定用模型９０１においても、その構成は適宜変更することができる。例えば、第２実施形態の歯冠部２１０を追加したり、蓋部材としてのシール部材９５０を導電性にして側面まで延長したりする等、事情に応じて適宜変更することができる。
【００７６】
以上、本発明の根管長測定用模型の好ましい各実施形態について説明したが、本発明は、上述の実施形態に制限されるものではなく、適宜変更が可能である。例えば、上記実施形態では、１つの歯の歯髄模型を例にして説明したが、歯体部に複数の歯が並列配置されるように、根管長測定用模型を構成することもできる。また、上記実施形態の歯体部は、何れも直方体状に形成されているが、異なる形状の柱状に形成することができる。例えば、円柱状や三角柱状等、事情に応じて適宜変更することができる。また、導電性液体は、生理食塩水９０に限定されるわけではなく、根管長測定器による測定ができる導電性を有するものであれば適宜のものを採用することができる。更に、上述した各実施形態では、凹部は一の側面に形成したが、これに制限されない。即ち、凹部を２以上の側面に形成し、それぞれの側面に連通する模擬歯髄腔を形成して根管長測定用模型を構成してもよい。
【符号の説明】
【００７７】
１  根管長測定用模型
１０  歯体部
１１  側面
１２  端面（一側の端面）
２０  凹部
２１  突出部
３０  模擬歯髄腔
３１  歯冠部歯髄腔部（一側の開口端）
５０  シール部材（蓋部材）
６０  開口端（他側の開口端）
９０  食塩水（導電性液体）
２０１  根管長測定用模型
２１０  歯冠部
３０１  根管長測定用模型
３２０  凹部
３２１  突出部
４０１  根管長測定用模型
４２０  凹部
５０１  根管長測定用模型
５２０  凹部
５２１  突出部
６０１  根管長測定用模型
６１０  歯体部
６１１  側面
６１２  端面（一側の端面）
６２０  凹部
６３１  歯冠部歯髄腔部（一側の開口端）
６５０  歯冠部
６６２  開口端（他側の開口端）
６６３  開口端（他側の開口端）
７０１  根管長測定用模型
７１０  歯体部
７１１  側面
７１２  端面（一側の端面）
７２０  凹部
７３１  歯冠部歯髄腔部（一側の開口端）
７５０  歯冠部
７６２  開口端（他側の開口端）
７６３  開口端（他側の開口端）
７６４  開口端（他側の開口端）
８０１  根管長測定用模型
８５０  シール部材（蓋部材）
９０１  根管長測定用模型
９１０  歯体部
９１２  端面（一側の端面）
９２０  連通孔
９２２  凹部
９５０  シール部材（蓋部材）
９６０  開口端（他側の開口端）
【図１】
2017003988.tif 000003
【図２】
2017003988.tif 000004
【図３】
2017003988.tif 000005
【図４】
2017003988.tif 000006
【図５】
2017003988.tif 000007
【図６】
2017003988.tif 000008
【図７】
2017003988.tif 000009
【図８】
2017003988.tif 000010
【図９】
2017003988.tif 000011
【図１０】
2017003988.tif 000012
【図１１】
2017003988.tif 000013
【図１２】
2017003988.tif 000014
【図１３】
2017003988.tif 000015
【図１４】
2017003988.tif 000016